(57)【要約】【課題】  信頼性を向上させたディスクロータ取付構造およびディスクブレーキ装置を提供すること。【解決手段】  ディスクロータをハブとホイールとで挟み連結するディスクロータ取付構造であって、ハブはハブボルト用の穴が形成された凸部を円周方向に複数有し、ディスクロータは凸部の形状に対応するように形成された開口部を有し、凸部は開口部に嵌合し、凸部とホイールとが直接締結されている。【選択図】  図１
2006038025.tif 000002
【特許請求の範囲】
【請求項１】
ディスクロータをハブとホイールとで挟み連結するディスクロータ取付構造であって、
前記ハブはハブボルト用の穴が形成された凸部を円周方向に複数有し、前記ディスクロータは前記凸部の形状に対応するように形成された開口部を有し、前記凸部は前記開口部に嵌合し、該凸部と前記ホイールとが直接締結されていることを特徴とするディスクロータ取付構造。
【請求項２】
請求項１記載のディスクロータ取付構造であって、
前記ディスクロータと前記ハブ又は／及び前記ホイールとの接触面に弾性部材が介在して、前記凸部は前記開口部に嵌合し、該凸部と前記ホイールとが直接締結されていることを特徴とするディスクロータ取付構造。
【請求項３】
請求項１又は２記載のディスクロータ取付構造と、
前記ディスクロータの回転を制動するブレーキキャリパと、を備えることを特徴とするディスクブレーキ装置。
【発明の詳細な説明】
【技術分野】
【０００１】
本発明は、車両用のディスクロータ取付構造およびディスクブレーキ装置に関する。
【背景技術】
【０００２】
従来、ハブフランジの外周面とディスクロータのハット部の内周面との間にダンパー材料を介在させたディスクブレーキ組立体が知られている（例えば、特許文献１参照）。このダンパー材料は制動時に生じたディスクロータの振動を減衰している。
【特許文献１】特開昭５９−１６７３５２号公報
【発明の開示】
【発明が解決しようとする課題】
【０００３】
しかしながら、上記従来のディスクブレーキ組立体においては、ディスクロータの軸方向の接触面に弾性部材を介在させることなく、ディスクロータがハブとホイールとで共締めされ連結されている。また、ハブとディスクロータとの接触面についての平面度、およびディスクロータとホイールとの接触面についての平面度が確保されない場合がある。この平面度が確保されない状態で、ハブ、ディスクロータ及びホイールの連結がなされると、ディスクロータの摺動面の平面度が確保されるのは困難である。このように、ディスクロータの摺動面についての平面度が確保されない状態でブレーキパッドがディスクロータの摺動面に押圧されると、ディスクブレーキ組立体の振動原因となる。一方で、ディスクブレーキ組立体に振動が生じた場合に上記ダンパー材料により振動の減衰が行われているが、振動の発生を防止しているわけではない。したがって、ディスクブレーキ組立体の振動対策としては、不十分となるおそれがある。
【０００４】
本発明はこのような課題を解決するためのものであり、信頼性を向上させたディスクロータ取付構造およびディスクブレーキ装置を提供することを主たる目的とする。
【課題を解決するための手段】
【０００５】
上記目的を達成するための本発明の一態様は、ディスクロータをハブとホイールとで挟み連結するディスクロータ取付構造であって、上記ハブはハブボルト用の穴が形成された凸部を円周方向に複数有し、上記ディスクロータは上記凸部の形状に対応するように形成された開口部を有し、上記凸部は上記開口部に嵌合し、上記凸部と上記ホイールとが直接締結されていることを特徴とするディスクロータ取付構造である。
【０００６】
なお、この一態様において、上記ハブボルト用の穴とは、例えばハブボルトが螺合する雌ネジ又はハブボルトが挿通するボルト穴である。
【０００７】
この一態様によれば、上記ハブはハブボルト用の穴が形成された凸部を円周方向に複数有し、上記ディスクロータは上記凸部の形状に対応するように形成された開口部を有し、上記凸部は上記開口部に嵌合し、上記凸部と上記ホイールとが直接締結されている。この構造により、上記ディスクロータは上記ハブと上記ホイールとで共締めされない。したがって、上記ハブ、上記デフィスクロータ及び上記ホイールが締結部材により締結された場合、例えば締結部材による締付力により、上記ディスクロータの摺動面の平面度は、上記ハブと上記ディスクロータとの接触面の荒れ、又は上記ディスクロータと上記ホイールとの接触面の荒れの影響を直接的に受けることがない。すなわち、上記ディスクロータの摺動面の平面度を確保でき、上記ディスクロータの摺動面がブレーキパッドにより押圧された場合の上記ディスクロータ取付構造の振動を十分抑制でき、上記ディスクロータ取付構造の信頼性を向上させることができる。
【０００８】
なお、この一態様において、上記ディスクロータと上記ハブ又は／及び上記ホイールとの接触面に弾性部材が介在して、上記凸部は上記開口部に嵌合し、上記凸部と上記ホイールとが直接締結されているのが好ましい。これにより、上記ディスクロータと上記ハブ、又は／及び上記デフィスクロータと上記ホイールとを上記弾性部材を介して密着させることができる。したがって、上記弾性部材が変形し、上記ハブと上記ディスクロータとの接触面の荒れ、又は上記ディスクロータと上記ホイールとの接触面の荒れの影響をより緩和する。すなわち、上記ディスクロータの摺動面の平面度に対する、上記ハブと上記ディスクロータとの接触面の荒れ、又は上記ディスクロータと上記ホイールとの接触面の荒れの影響をより低下させることができる。これにより、上記ディスクロータの摺動面がブレーキパッドにより押圧された場合の上記ディスクロータ取付構造の振動をより抑制でき、上記ディスクロータ取付構造の信頼性をより向上させることができる。
【０００９】
上記目的を達成するための本発明の一態様は、上記ディスクロータ取付構造と、上記ディスクロータの回転を制動するブレーキキャリパと、を備えることを特徴とするディスクブレーキ装置である。
【発明の効果】
【００１０】
本発明によれば、信頼性を向上させたディスクロータ取付構造およびディスクブレーキ装置を提供することができる。
【発明を実施するための最良の形態】
【００１１】
以下、本発明を実施するための最良の形態について、添付図面を参照しながら実施例を挙げて説明する。なお、車両用ディスクブレーキ装置の基本概念、主要なハードウェア構成、作動原理、及び基本的な制御手法等については当業者には既知であるため、詳しい説明を省略する。
【００１２】
図１は、本発明の一実施例に係るディスクロータ取付構造を示す断面図である。図２は嵌合前のハブ及びディスクロータを示す図である。本実施例に係るディスクロータ取付構造２において、ハブ４のハブフランジ４ａに形成された５つの凸部４ｂは、ディスクロータ６のハット部の凸部４ｂの形状に対応するように形成された開口部６ａに嵌合し、ホイール８の接触面と接触している。なお、ハブ４のハブフランジ４ａには凹部４ｄ及び凸部４ｂが、ハブ４の円周方向に交互に形成されている。また、ハブフランジ４ａの各凸部４ｂには雌ネジ４ｃが形成され、ホイール８には円周方向に５つのボルト穴８ａが形成されている。５つのハブボルト１０は、ホイール８に形成されたボルト穴８ａに車両外側から夫々挿通し、ハブフランジ４ａの凸部４ｂに形成された雌ネジ４ｃに螺合している。これにより、ハブ４とホイール８とはディスクロータ６を間に介在させずに直接締結されている。なお、ハブ４のハブフランジ４ａには５つの凸部４ｂ及び５つの凹部４ｄが形成されているが、形成される凸部４ｂ及び５つの凹部４ｄの数は任意でよい。また、ホイール８には５つのボルト穴８ａが形成され、ハブフランジ４ａの凸部４ｂには５つの雌ネジ４ｃが形成されているが、ボルト穴８ａの数及び雌ネジ４ｃの数は任意でよい。
【００１３】
ディスクロータ６の各ハブ４側の接触面６ｂとハブの凹部４ｄの各ディスクロータ６側の接触面４ｅとの間に弾性部材１２が介在している。また、ディスクロータ６の各周方向の接触面６ｃとハブの凹部４ｄの各周方向の接触面４ｆとの間に弾性部材１４が夫々介在している。さらに、ディスクロータ６の各径方向の接触面６ｄとハブの凹部４ｄの各径方向の接触面４ｇとの間に弾性部材１６が夫々介在し、ハブ４とディスクロータ６とは嵌合している。なお、弾性部材１２、１４、１６として、金属製スプリング、耐熱性を有するゴム又はウレタン等が用いられている。
【００１４】
ディスクロータ６の外周部にはブレーキキャリパが設けられている。このブレーキキャリパは、ディスクロータ６の摺動面を挟み込むように配置された一対のブレーキパッドと、ブレーキパッドをディスクロータ６の摺動面に押圧するピストンと、を有している。ブレーキが掛けられると、このピストンに作動圧力がかかり、ピストンは、一対のブレーキパッドをディスクロータ６の摺動面に押圧する。これにより、ディスクロータ６の摺動面に摩擦力が生じ、ディスクロータ６の回転は制動される。ディスクロータ６の摺動面の平面度が確保されている場合、一対のブレーキパッドがディスクロータ６の摺動面に押圧されると、ブレーキパッドがディスクロータ６の摺動面に対し、均一な力で接触させられることからディスクロータ６とブレーキパッドとの間の振動は抑制される。
【００１５】
例えば、ハブ４とディスクロータ６との接触面の平面度が確保されていない場合、ハブ４とホイール８が締結されるとハブボルト１０の締付力により、弾性部材１２、１４、１６はハブ４の凹部４ｄの接触面４ｅ、４ｆ、４ｇとディスクロータ６のハット部の接触面６ｂ、６ｃ、６ｄとの間で圧接し、変形する。このとき、ディスクロータ６はハブボルト１０によりハブ４及びホイール８と共締めされることなく、ハブ４に弾性部材１２、１４、１６を介在して嵌合している。したがって、ディスクロータ６はハブボルト１０に対し相対的な移動が許容され、弾性部材１２、１４、１６を変形させつつ、ハブ４の凹部４ｄの形状の範囲内で移動し固定される。この弾性部材１２、１４、１６の変形により、ハブ４の凹部４ｄの接触面４ｅ、４ｆ、４ｇとディスクロータ６のハット部の接触面６ｂ、６ｃ、６ｄとは弾性部材１２、１４、１６を介して密着し、ハブ４の平面度の荒れ及びディスクロータ６の平面度の荒れの影響は緩和される。これにより、ディスクロータ６の摺動面の平面度が確保される。
【００１６】
また、ディスクロータ６の摺動面の平面度が確保されていない場合、ディスクロータ６の摺動面にブレーキパッドが押圧されると、ハブ４の凹部４ｄの接触面４ｅ、４ｆ、４ｇとディスクロータ６のハット部の接触面６ｂ、６ｃ、６ｄとの間に介在された弾性部材１２、１４、１６は、ディスクロータ６の摺動面がブレーキパッドの接触面に沿うように変形する。したがって、ディスクロータ６の摺動面の平面度が確保されていない場合でも、引きずりによるディスクロータ６の摺動面の偏磨耗を防止することができる。さらに、ディスクロータ６の摺動面の偏磨耗を防止できることから、偏磨耗に起因したディスクロータ取付構造２及びディスクブレーキ装置の振動を防止することができる。
【００１７】
以上のように、ディスクロータ６の各接触面６ｂ、６ｃ、６ｄとハブ４との各接触面４ｅ、４ｆ、４ｇとの間に弾性部材１２、１４、１６が介在して、ディスクロータ６にハブ４が嵌合し、ハブ４とホイール８とが締結される。これにより、ハブ４、ディスクロータ６及びホイール８の部品の公差又は締結時のハブ４、ディスクロータ６、又はホイール８の変形等により、各接触面４ｅ、４ｆ、４ｇ、６ｂ、６ｃ、６ｄの平面度が確保されていない場合においても、ディスクロータ６はハブボルト１０に対し相対的移動が許容されることから、ハブ４とディスクロータ６との間に介在させた弾性部材１２、１４、１６が変形し、ディスクロータ６の摺動面の平面度が確保される。これにより、ディスクロータ６の摺動面がブレーキパッドにより押圧された場合のディスクロータ取付構造２およびディスクブレーキ装置の振動を十分抑制し、ディスクロータ取付構造２およびディスクブレーキ装置の信頼性を向上させることができる。
【００１８】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００１９】
例えば、上記一実施例において、ディスクロータ６のハブ４側の接触面６ｂとハブの凹部４ｄの接触面４ｅとの間に弾性部材１２が介在し、ハブ４とディスクロータ６とが嵌合し、ハブ４とホイール８とが締結されているが、ディスクロータ６のホイール８側の接触面とホイール８の接触面との間に弾性部材が介在し、ハブ４とディスクロータ６とが嵌合し、ハブ４とホイール８とが締結されていてもよい。また、ディスクロータ６のハブ４側の接触面６ｂとハブの凹部４ｄの接触面４ｅとの間に弾性部材１２が介在し、さらにディスクロータ６のホイール８側の接触面とホイール８の接触面との間に弾性部材が介在して、ハブ４とディスクロータ６とが嵌合し、ハブ４とホイール８とが締結されていてもよい。
【００２０】
また、上記一実施例において、５つのハブボルト１０はホイール８に形成されたボルト穴８ａに車両外側から夫々挿通し、ハブフランジ４ａの凸部４ｂに形成された雌ネジ４ｃに螺合しているが、５つのハブボルト１０はホイール８に形成されたボルト穴８ａ及びハブフランジ４ａの凸部４ｂに形成されたボルト穴に車両外側から夫々挿通し、車両内側から取り付けられるナットと螺合していてもよい。
【産業上の利用可能性】
【００２１】
本発明は、車両用ディスクブレーキ装置において採用されるディスクロータ取付構造に利用できる。搭載される車両の外観、重量、サイズ、走行性能等は問わない。
【図面の簡単な説明】
【００２２】
【図１】本発明の一実施例に係るディスクロータ取付構造の断面図である。
【図２】嵌合前のハブ及びディスクロータを示す図である。
【図３】嵌合後のハブ及びディスクロータを示す図である。
【符号の説明】
【００２３】
２    ディスクロータ取付構造
４    ハブ
４ａ  ハブフランジ
４ｂ  凸部
４ｃ  雌ネジ
４ｄ  凹部
４ｅ  ディスクロータ側の接触面
４ｆ  周方向の接触面
４ｇ  径方向の接触面
６    ディスクロータ
６ａ  開口部
６ｂ  ハブ側の接触面
６ｃ  周方向の接触面
６ｄ  径方向の接触面
８    ホイール
８ａ  ボルト穴
１０    ハブボルト
１２、１４、１６    弾性部材
【図１】
2006038025.tif 000003
【図２】
2006038025.tif 000004
【図３】
2006038025.tif 000005